【手続補正書】
【提出日】平成20年2月20日(2008.2.20)
【手続補正１】
【補正対象書類名】明細書
【補正対象項目名】特許請求の範囲
【補正方法】変更
【補正の内容】
【特許請求の範囲】
【請求項１】  レリーフ構造をもつ機密保護素子(２)が間に埋め込まれている複数の貼合せ層(１０，１１)を備えるカード(１)において、前記機密保護素子(２)が間に埋め込まれた前記カード(１)の前記層(１０，１１)より高い軟化温度を有する前記機密保護素子(２)の層(２１)に前記レリーフ構造が存在し、前記層（２１）がプラスチック層およびラッカー層からなる群より選択されることを特徴とするカード。
【請求項２】  前記層（２１）がラッカー層であり、前記レリーフ構造が存在する前記ラッカー層(２１)が架橋反応ラッカー層であることを特徴とする請求項１記載のカード。
【請求項３】  前記架橋反応ラッカー層(２１)がラジカル、陽イオンまたは青色光により硬化するラッカーであることを特徴とする請求項２記載のカード。
【請求項４】  前記ラッカーが陽イオンまたはラジカルにより硬化するラッカーであり、前記陽イオンまたはラジカルにより硬化するラッカーがＵＶ硬化性ラッカーであることを特徴とする請求項３記載のカード。
【請求項５】  前記機密保護素子(２)が、前記レリーフ構造をもつ前記ラッカー層(２１)、保護ラッカー層(２６)及び前記ラッカー層(２１)に結合された別の支持層(２５)を備えることを特徴とする請求項２から４のいずれか１項記載のカード。
【請求項６】  前記層（２１）がプラスチック層であり、前記プラスチック層(２１)のための材料が、結晶性ポリエチレンテレフタレート(ＰＥＴ)及びポリカーボネート(ＰＣ)からなる材料群から選ばれることを特徴とする請求項１記載のカード。
【請求項７】  前記層（２１）がラッカー層であり、前記レリーフ構造をもつ前記ラッカー層(２１)及び前記保護ラッカー層(２６)が架橋反応ラッカーからなることを特徴とする請求項１から５のいずれか１項記載のカード。
【請求項８】  前記機密保護素子(２)が透明であることを特徴とする請求項１から６のいずれか１項記載のカード。
【請求項９】  前記機密保護素子(２)の片面に印刷が施されていることを特徴とする請求項８記載のカード。
【請求項１０】  前記機密保護素子(２)が追加の光学効果を有することを特徴とする請求項８または９記載のカード。
【請求項１１】  前記レリーフ層(２１)の前記レリーフ構造に金属被覆が施されていることを特徴とする請求項１から７のいずれか１項記載のカード。
【請求項１２】  前記レリーフ構造の前記金属被覆(２２；２２ａ，２２ｂ)が目で認識できる遮断体を有することを特徴とする請求項１１記載のカード。
【請求項１３】  前記被覆(２２；２２ａ，２２ｂ)の前記遮断体が文字、ロゴ、パターン等の形態で存在することを特徴とする請求項１２記載のカード。
【請求項１４】  前記機密保護素子(２)が、前記機密保護素子(２)を前記カード(１)の両面から認識できるように、前記カード(１)の透明な窓に配置されていることを特徴とする請求項１から１３のいずれか１項記載のカード。
【請求項１５】  前記機密保護素子(２)が、前記レリーフ構造を有する前記ラッカー層(２１ａ，２１ｂ)がそれぞれの面に設けられた支持層(２５)を備えることを特徴とする請求項１４記載のカード。
【請求項１６】  前記機密保護素子(２)の前記レリーフ構造がそれぞれ保護ラッカー層で覆われていることを特徴とする請求項１４記載のカード。
【請求項１７】  前記機密保護素子(２)と隣接層との間に接着層(２３，２４)が存在することを特徴とする請求項１から１６のいずれか１項記載のカード。
【請求項１８】  前記レリーフ構造が前記層（２１）に型押しされることを特徴とする請求項１から１７のいずれか１項記載のカード。
【請求項１９】  前記ラッカー層(２１)が前記カード(１)の層(１０)に直接隣接することを特徴とする請求項２から５のいずれか１項記載のカード。
【請求項２０】  レリーフ構造をもつ機密保護素子(２)が間に埋め込まれている複数の貼合せ層(１０，１１)を備える多重積層カード(１)を作成するための方法において：
−  支持層(２５)上に反応ラッカー層を提供する工程；
−  前記反応ラッカー層にレリーフ構造を型押し、前記反応ラッカー層の架橋を開始させて、安定なレリーフ層(２１)を作成する工程；
−  必要に応じた前記レリーフ面の少なくとも部分的な金属皮膜(２２)の形成及び保護ラッカー層(２６)による前記レリーフ面の被覆後、前記レリーフ層(２１)に接着層(２３)を施す工程；
−  貼り合されるべき前記カード(１)の最初の層(１１)に前記接着層(２３)を結合させる工程；
−  前記レリーフ層(２１)及び保護ラッカー層(２６)が前記最初の層(１１)と前記カード(１)の少なくとも１つの別の層(１０)との間に埋め込まれるように、前記カード(１)の前記最初の層(１１)を前記少なくとも１つの別の層(１０)と貼り合せる工程であって、貼合せ温度は前記レリーフ層(２１)の軟化温度より低いものである工程；
を含むことを特徴とする方法。
【請求項２１】  前記支持層(２５)が前記貼合せ工程の前に前記レリーフ層(２１)から取り外されることを特徴とする請求項２０記載の方法。
【請求項２２】  前記カード(１)の前記別の層(１０)と隣接する前記機密保護素子(２)との間に別の接着層(２４)が設けられることを特徴とする請求項２０または２１記載の方法。
【請求項２３】  少なくとも一部の領域の金属被膜(２２ａ，２２ｂ)及び保護ラッカー層(２６ａ，２６ｂ)で覆われた安定なレリーフ層(２１ａ，２１ｂ)が前記支持層(２５)の両面上に用いられることを特徴とする請求項２０から２２のいずれか１項記載の方法。
【請求項２４】  前記レリーフ層(２１)及び、前記支持層(２５)が取り外されていなければ、隣接する前記支持層(２５)も、透明につくられ、前記レリーフ構造の前記支持層(２５)とは反対の面に印刷イメージ及び／またはさらに別の光学効果が与えられていることを特徴とする請求項２０から２３のいずれか１項記載の方法。
【請求項２５】  レリーフ構造をもつ機密保護素子(２)が間に埋め込まれた複数の貼合せ層(１０，１１)を備える多重積層カード(１)を作成するための方法において：
−  貼り合わされるべき前記カード(１)の最初の層(１０)上に反応ラッカー層を提供する工程；
−  前記反応ラッカー層にレリーフ構造を型押し、前記反応ラッカーの架橋を開始させて、安定なレリーフ層(２１)を作成する工程；
−  必要に応じた前記レリーフ面の少なくとも部分的な金属皮膜(２２)の形成及び保護ラッカー層(２６)による前記レリーフ面の被覆後、前記レリーフ層(２１)に接着層(２３)を施す工程；
−  貼り合されるべき前記カード(１)の別の層(１１)に接着層を結合させ、前記レリーフ層(２１)が前記カード(１)の前記最初の層(１０)と別の層(１１)との間に埋め込まれるように、前記カード(１)の前記最初の層(１０)と前記別の層(１１)とを貼り合せる工程であって、貼合せ温度は前記レリーフ層(２１)の軟化温度より低いものである工程；
を含むことを特徴とする方法。
【請求項２６】  前記反応ラッカーが、ラジカル硬化性ラッカー、陽イオン硬化性ラッカー、または青色光硬化性ラッカーからなる群から選ばれることを特徴とする請求項２０から２５のいずれか１項記載の方法。
【請求項２７】  レリーフ構造をもつ機密保護素子(２)が間に埋め込まれた複数の貼合せ層(１０，１１)を備える多重積層カード(１)を作成するための方法において：
−  プラスチックフィルム(２１)を提供する工程；
−  前記プラスチックフィルムの両面にレリーフ構造を型押しする工程；
−  必要に応じた前記レリーフ面の少なくとも部分的な金属皮膜(２２ａ，２２ｂ)の形成及び保護ラッカー層(２６ａ，２６ｂ)による前記レリーフ面の被覆後、前記レリーフ構造に接着層(２３)を施す工程；
−  貼り合されるべき前記カード(１)の最初の層(１１)に前記接着層(２３)を結合させる工程；
−  前記レリーフ層(２１)が前記最初の層(１１)と前記カード(１)の少なくとも１つの別の層(１０)との間に埋め込まれるように、前記最初の層(１１)を前記カード(１)の前記少なくとも１つの別の層(１０)と貼り合せる工程であって、貼合せ温度は前記レリーフ層(２１)の軟化温度より低いものである工程；
を含むことを特徴とする方法。
【請求項２８】  前記レリーフ層(２１)の前記接着層(２３)とは反対の面に別の接着層(２４)が施されることを特徴とする請求項２７記載の方法。
【請求項２９】  前記レリーフが両面から部分的にしか目で認識されないように、前記レリーフ層(２１)も両面が不透明印刷インクにより覆われていることを特徴とする請求項２７または２８記載の方法。
【請求項３０】  前記レリーフ層(２１)及び前記保護ラッカー層(２６)の材料が、一部結晶性ポリエステルからなる材料群から選ばれることを特徴とする請求項２７から２９のいずれか１項記載の方法。